(57)【要約】【課題】  翼片と、ガラス板と遊技盤との間で前後左右に挟み込まれて生じる球詰まりを効果的に低減でき、遊技球をよりスムーズに入賞口内へ流下させる遊技機を提供する。【解決手段】  遊技球の流下する遊技盤と、遊技盤を被覆するガラス板を備えた遊技機において、遊技盤には、遊技球を導入可能な入賞口と、入賞口の左右方向に配置されるとともに支持軸を中心に回動可能に軸支された一対の翼片と、翼片前方に配置されて入賞口を形成する飾り部材を有する入賞装置が配設されており、飾り部材は、飾り部材の前面上端縁部を、ガラス板から遊技盤方向に向かって下方傾斜するように遊技機を構成することにより、翼片と、ガラス板と遊技盤との間で前後左右に挟み込まれて生じる球詰まりを効果的に低減でき、遊技球をよりスムーズに入賞口内へ流下させることができる。【選択図】  図３
2006296777.tif 000002
【特許請求の範囲】
【請求項１】
遊技球の流下する遊技盤と、遊技盤を被覆するガラス板を備えた遊技機において、
遊技盤には、遊技球を導入可能な入賞口と、入賞口の左右方向に配置されるとともに支持軸を中心に回動可能に軸支された一対の翼片と、翼片前方に配置されて入賞口を形成する飾り部材を有する入賞装置が配設されており、
飾り部材は、飾り部材の前面上端縁部を、ガラス板から遊技盤方向に向かって下方傾斜するように構成している、ことを特徴とする遊技機。
【請求項２】
入賞口の上方位置には遊技球を導入可能な上方入賞口が配設されており、上方入賞口を形成する部材の下端位置と、飾り部材の前面上端縁部位置との上下方向の間隔が、遊技球１個分未満である請求項１記載の遊技機。
【請求項３】
入賞口の上方位置には遊技球を導入可能な上方入賞口が配設されており、上方入賞口の下部を形成する部材はガラス板から遊技盤方向に下方傾斜している請求項１に記載の遊技機。
【発明の詳細な説明】
【技術分野】
【０００１】
本発明は、入賞口を配設した遊技盤と遊技盤前面にガラス板を備えた遊技機に関する。
【背景技術】
【０００２】
遊技機において、遊技盤面に配設されて入賞口を形成する入賞装置としては、支軸を中心に左右に回動可能に軸支された一対の翼片を備えたもの（いわゆるチューリップ型可変入賞装置）がある。
【０００３】
このような入賞装置は、一対の翼片が互いに反対方向に回動することで、入賞口への遊技球の流下経路を開閉する。すなわち、入賞装置においては、翼片の双方の先端が互いに離れるように翼片が回動する場合には、入賞口への遊技球の流下経路がより開かれた状態（以下、開状態という）となり、遊技球の入賞口への導入が容易になり、反対に翼片の双方の先端が互いに近づくように翼片が回動する場合には、入賞口への遊技球の流下経路が開状態に比べて閉ざされた状態（以下、閉状態という）となり、遊技球の入賞口への導入が規制あるいは遮断される。
【０００４】
入賞装置が開状態となっている場合、遊技球が時間間隔をおいて散発的に入賞装置の入賞口に流下してくると、遊技球は入賞口に１個ずつ順次導入される。しかしながら、入賞装置の入賞口への遊技球の流下は散発的に生じるのみならず、この入賞装置の入賞口に遊技球が連続的に流下してくる場合がある。このような場合でも入賞口には遊技球が１個ずつ順次導入される。また、入賞口に向かって流下する遊技球は常にスムーズに入賞口内へ流下するとは限らず入賞口付近で入賞口を形成する部材と衝突を繰りかえした後に入賞口内へ流下する場合がある。これらのことから、遊技機には、入賞口付近に遊技球が一時的に留まり、さらに遊技球が入賞口に向かって流下して、入賞口付近に遊技球が複数存在する状況が生じうる。この状況で入賞装置が開状態から閉状態になる場合、遊技機には、翼片と遊技盤とガラス板との間に複数の遊技球が挟み込まれて入賞口内へと流下できず、球詰まりが生じる虞があった。特に、左右の翼片からほぼ同時に遊技球が入賞口に向かって流下するような場合には、球詰まりを生じる虞が大きい。一旦球詰まりを生じてしまうと、その後の遊技が滞って遊技機に対する遊技者の興趣を著しく損なうから、少しでも球詰まりを生じさせる虞を低減させようとすることは極めて重要な問題である。
【０００５】
そこで、こうした球詰まりを解消するべく、特許文献１には、入賞した遊技球を遊技盤の裏面へ案内するための開口と、開口を挟む一対の構成からなり遊技球を開口へ案内する球受面を形成した傾動可能な可動翼片とを有する入賞装置を備える遊技機であって、可動翼片の少なくとも一方の球受面に、遊技球を遊技盤又はガラス板側へ案内する案内部を形成したことを特徴とする遊技機が提案されている。
【０００６】
また、特許文献２には、特別入賞状態において、軸支された基端部を中心に互いに反対方向へ回動させられ逆八字状に開いて入賞球を受け入れる左右の回動翼片を備えた弾球遊技機の可変入賞装置において、左右の回転翼片の基端部間に受け入れられた入賞球を下方へ通過させる開口を有し、通過する入賞球を検知するセンサ体を設けるとともに、センサ体を、基端部間で左右方向へ傾斜させて設けたことを特徴とする弾球遊技機の可変入賞装置が提案されている。特許文献２の弾球遊技機の可変入賞装置によれば、センサ体は、回転翼片の基端部間に設けられており、このセンサ体を通過する遊技球の球詰まりを低減させようとして、センサ体を左右方向へ傾斜させている。
【０００７】
【特許文献１】特開２００３−１６４５９８号公報
【特許文献２】特開２００３−２１０７３９号公報
【発明の開示】
【発明が解決しようとする課題】
【０００８】
特許文献１において、可動翼片を備えた入賞装置において生じる球詰まりは、翼片と遊技盤とガラス板との間に遊技球が挟み込まれて生じるが、これは、第１に、最初に開口へ流下した遊技球が開口位置に存在する間に別の遊技球が開口位置に連続的に流下してきた場合に、可動翼片の先端位置が互い近づきあって入賞装置の開口を塞ぐように一対の可動翼片の両方が傾動し、傾動する可動翼片に複数の遊技球が挟持されることにより生じるほか、第２に、図１０に示すように、入賞装置１００の開口を形成するためにガラス面側に設けられる部材（部材K）の上端に遊技球（遊技球Ａ）が引っ掛かり（図１０（a））、そこへ更に複数の遊技球（遊技球B、C）が連続的に入賞装置１００の開口へ流下する場合に（図１０（b））、可動翼片１０１、１０１の先端位置が互い近づきあって入賞装置１００の開口を塞ぐように一対の可動翼片の両方が傾動し、上記した複数の遊技球B、Cと遊技球Ａとが傾動する可動翼片１０１とガラス面と遊技盤面との間で前後左右に挟み込まれる（図１０（c））、ことを原因として生じうる。
【０００９】
しかしながら、特許文献１の遊技機は、左右方向から衝突する遊技球について、その衝突位置を前後方向に水平にずらすものであるため、第１の点を解消しようとするものにすぎず、遊技球Ａをスムーズに開口へ流下させるものではなく、第２の点を解消するものではない。
しかも、特許文献１の遊技機では、遊技球を前後方向に強制的に案内するため、遊技球には前後方向に作用力が加わる。したがって、特許文献１の遊技機では、遊技球Ａがより強い力でガラス面に押し付けられて、部材Kの上端に遊技球Ａの引っ掛かる状態が維持されやすくなる虞があり、第２の点を助長させる虞がある。
【００１０】
また、特許文献２の弾球遊技機の可変入賞装置は、左右方向より連続的に遊技球が可変入賞装置に流下した場合に、遊技球同士の左右方向からの衝突位置を上下にずらすことで円滑に遊技球を流下させようとするものであるため、特許文献１の遊技機と同様に、第１の点を解消しようとするものにすぎず、第２の点における遊技球Aをスムーズに流下させるものではなく、ガラス面と遊技盤との間に遊技球が挟み込まれる状態、すなわち前後方向に遊技球が挟み込まれる状態を十分に解消することができない。
【００１１】
本発明は、上記問題点に鑑み、翼片と、ガラス板と遊技盤との間で前後左右に挟み込まれて生じる球詰まりを効果的に低減でき、遊技球をよりスムーズに入賞口内へ流下させる遊技機を提供することを目的とする。
【課題を解決するための手段】
【００１２】
本発明は、（１）遊技球の流下する遊技盤と、遊技盤を被覆するガラス板を備えた遊技機において、遊技盤には、遊技球を導入可能な入賞口と、入賞口の左右方向に配置されるとともに支持軸を中心に回動可能に軸支された一対の翼片と、翼片前方に配置されて入賞口を形成する飾り部材を有する入賞装置が配設されており、飾り部材は、飾り部材の前面上端縁部を、ガラス板から遊技盤方向に向かって下方傾斜するように構成している、ことを特徴とする遊技機、（２）入賞口の上方位置には遊技球を導入可能な上方入賞口が配設されており、上方入賞口を形成する部材の下端位置と、飾り部材の前面上端縁部位置との上下方向の間隔が、遊技球１個分未満である上記（１）記載の遊技機、（３）入賞口の上方位置には遊技球を導入可能な上方入賞口が配設されており、上方入賞口の下部を形成する部材はガラス板から遊技盤方向に下方傾斜している上記（１）記載の遊技機、を要旨とする。
【発明の効果】
【００１３】
本発明の遊技機によれば、入賞装置は飾り部材前面上端縁より後方に向かって下方傾斜形成されているから、入賞装置が開状態である際に入賞口へ向かう遊技球（遊技球A）が飾り部材上端縁に引っかかるとともに、左右の翼片から入賞口に向かって遊技球（遊技球B、C）が流下してくるような場合であっても、遊技球B、Cが入賞口に到達して、入賞装置が閉状態となる前に、飾り部材上端縁に引っかかった遊技球Aが入賞口内へ導入されやすくなる。したがって、本発明の遊技機によれば、遊技球Aをスムーズに入賞口内へ流下させるのみならず、左右一対の翼片と遊技盤面とガラス板との間に上記したような遊技球A、B、Cが挟まることにより入賞装置に球詰まりを生じてしまう虞を抑制することができる。
【００１４】
本発明の遊技機によれば、入賞口の上方に遊技球１個分未満の距離を隔てて上方入賞口を形成する部材を設けて上方入賞口を形成しているので、上方入賞口を形成する部材に衝突した遊技球の進行方向を、飾り部材の前面上端縁より遊技盤面方向に下方傾斜形成された位置に向かう方向にすることが容易となる。すると、その下方傾斜形成された位置に遊技球が衝突してその下方傾斜部位を滑るように入賞口内にスムーズに流下する状態が容易に形成できる。こうして、この遊技機によれば、遊技球をよりスムーズに入賞口内に流下させることができる。
【００１５】
本発明の遊技機によれば、上方入賞口を形成する部材の下部をガラス板から遊技盤面方向に下方傾斜させているので、上方入賞口を形成する部材の下部に衝突した遊技球がより確実にガラス板方向に向かって跳ね返るようになり、飾り部材に引っかかる遊技球を弾きとばしやすくなる。したがって、球詰まりをより効果的に低減させることができるようになる。さらに、この遊技機によれば、ガラス板方向に向かって跳ね返る遊技球の進行方向を、飾り部材の前面上端縁より遊技盤面方向に下方傾斜形成された位置に向かう方向にすることができるから、その下方傾斜形成された位置に遊技球が衝突してその傾斜位置から滑るように入賞口内にスムーズに流下する状態を形成することができる。こうして、この遊技機によれば、遊技球を一層スムーズに入賞口に流下させることができる。
【発明を実施するための最良の形態】
【００１６】
本発明の実施形態（第１の形態）につき、図面を参照しつつ詳細に説明する。
図１は、本発明の遊技機における、遊技機枠体（図示しない）の内部に組み付けられる遊技盤の概略正面図である。また、図２は、本発明の遊技機に配設される入賞装置の実施例の１つを示す正面図である。さらに図３（ａ）は、図２におけるＡ−Ａ断面図である。
遊技機は、遊技盤１の前面に遊技領域を形成しており、遊技領域の周縁に沿うように湾曲した案内レール２や、遊技領域の略中央に図柄表示部３を正面に向けて図柄表示装置３aを設け、図柄表示装置３aの周囲の領域に回転装置、普通入賞口（図示せず）を、また図柄表示装置３aの下方の領域に始動入賞口４や大入賞口５を、そして遊技領域内の所要位置に多数の障害釘（例えば障害釘１５）を設けて構成されている。なお、普通入賞口、始動入賞口４や大入賞口５は、それぞれ普通入賞装置（図示しない）、始動入賞装置４a、大入賞装置５aによって形成される。また、遊技機は、図３などに示すように、始動入賞口４や大入賞口５などの各装置を覆うように遊技盤１の前方位置にガラス板９を設けている。
【００１７】
本発明における実施形態を説明するにあたり、前後方向について、遊技盤からガラス板に向かう方向が前方向であり、その逆方向が後方向であり、また左右方向について、遊技盤正面に向かって右側に向かう方向が右方向であり、その逆方向が左方向であるものとする。
【００１８】
本実施形態としては、始動入賞装置がいわゆるチューリップ型可変入賞装置である場合を例として詳細に説明する。また、実施形態の説明中、入賞装置は始動入賞装置４aを示し、入賞口は始動入賞口４を示すものとする。その場合、入賞装置、入賞口それぞれにつき同一の符号４a、４を用いる。
【００１９】
入賞装置４aは、図２、図３（ａ）に示すように、遊技盤１の前面に固定された基台１１の前方に上方と後方に開口した殻体６を備え、左右一対の翼片１０（右翼片１０ａおよび左翼片１０ｂ）をその先細な先端４０を殻体６内から上方の開口部位の外側方向に向けつつ左右方向に遊技球１個分の大きさよりもやや大きい間隔を隔てて配設している。このとき、左右方向に右翼片１０aと左翼片１０bの間であって、前後方向に基台１１と殻体６の間には、上方に開口した空間部２０が形成されている。
【００２０】
殻体６は、板状の飾り部材７を備えるとともに、飾り部材７の後面側より基台１１に向かうとともに上方の没入した周壁８を形成しており、飾り部材７における周壁８の形成位置の内側より下方傾斜しつつ後方へ向かって突出した突出部１７を形成するとともに、突出部１７の左右位置に翼片１０を軸支する支軸１２を形成している。また、殻体６には、基台１１の殻体取付穴の配設位置に対向する位置にネジ穴（図示しない）が形成されている。
【００２１】
飾り部材７は、図３（ｂ）に示すように、その前面上端縁部の位置よりもやや後方位置から、遊技盤面に向かって下方傾斜する傾斜面１９を形成している。なお、傾斜面１９は、その上端が図３（b）に示すような飾り部材７前面上端縁部位置よりもやや後方側位置にある場合に限定されず、その上端が飾り部材７前面上端縁部に位置するように形成されていてもよい。また、傾斜面１９は、その形状が平坦面であるように形成される場合に限定されず、その形状が凸状に屈曲面を形成しつつ後方に向かって下方傾斜形成されていてもよく、また凸状に湾曲面を形成しつつ後方に向かって下方傾斜形成されていてもよい。特に、飾り部材７の傾斜面１９が湾曲面を形成していると、飾り部材７の前面上端縁部は湾曲面を形成していることとなり、傾斜面１９と飾り部材７の交差位置で角張った形状を呈することを抑制できるから、このような飾り部材７を備えた遊技機によれば、傾斜面１９と飾り部材７の交差位置で遊技球が引っ掛かる虞を一層低減できる。
【００２２】
翼片１０は、図４（ａ）に示すように、その前面形状を略翼状とするとともに、翼状の周縁に沿って前後方向に遊技球１個分よりも大きな幅の側面部２１を形成しており、翼状の周縁の内側に支軸１２を挿入される支軸受穴１４を前後方向に穿設し、後面側に支軸受穴１４の配設位置からずれた位置に回動片１６を後方に向かって突出形成している。
【００２３】
基台１１は、空間部２０の形成される位置に対向する位置に遊技球１個分の大きさよりも大寸法の基台貫通穴１８を設けており、遊技盤１に取付けるための取付穴６０と、殻体６を取付けるための殻体取付穴（図示しない）とが形成されている。さらに、基台１１には、回動片１６を挿通可能な大きさを有するとともに回動片１６の回動可能な角度を規制する規制穴（図示しない）が、翼片１０の回動片１６位置に対向する位置に設けられている。
【００２４】
入賞装置４ａは、次のように組み立てられる。
左右一対の翼片１０（１０ａ、１０ｂ）は、その前面を殻体６の飾り部材７の後面と対向させつつ、それぞれその支軸受穴１４に殻体６の支軸１２を挿通させることで、支軸１２に軸支される。
左右一対の翼片１０を支軸１２で軸支した殻体６は、ネジ穴を基台１１の殻体取付穴に対向させるとともに基台１１裏面側からネジなどを殻体取付穴を通じてネジ穴に螺合することにより、基台１１に固定され、入賞装置４ａが組み立てられる。このとき、基台１１の規制穴には回動片１６が後方に向かって挿通され、回動片１６の先端は基台１１の後面より後方に向かってやや突き出ている。
また、基台１１と殻体６とで上方に開口した空間部２０が形成され、空間部２０の後方には、基台貫通穴１８が配置された状態となっている。こうして、空間部２０上方の開口部分から空間部２０へ連通し、さらに空間部２０から基台貫通穴１８へと連通する入賞口４が形成される。
【００２５】
遊技盤１には、予め、基台１１の基台貫通穴１８と規制穴を取り囲む領域に対向するように貫通穴１３が設けられ、また取付穴６０の形成された位置に対向する位置にネジ穴が設けられており、入賞装置４ａは、取付穴６０をネジ穴に対向するように配設して取付穴６０を通じてネジ６１をネジ穴に螺合させることで、遊技盤１に取付けられる。
【００２６】
入賞装置４ａでは、左右一対の翼片１０の各々の先端４０は翼片１０の側面部２１を通じて入賞口４へと繋がっており、右翼片１０ａの先端４０と左翼片１０ｂの先端４０との間を流下してきた遊技球は、入賞口４に導かれる。入賞口４に導かれた遊技球は、空間部２０から基台貫通穴１８を通じて、遊技盤１の貫通穴１３を通過し、遊技盤１裏面へと排出される。
【００２７】
入賞装置４ａでは、翼片１０は次のように回動される。
左右一対の翼片１０の各々に固定された回動片１６は、貫通穴１３を通じて遊技盤１後方に設けられた回動機構（図示しない）に接続されており、この回動機構より上下方向に応力を受ける。このとき、翼片１０は回動片１６を固定するとともに、支軸１２に軸支されているため、回動片の受けた応力に応じて、回動片１６と翼片１０は一体となって支軸１２を中心として左右いずれかの方向に回動する。
【００２８】
遊技機は、回動機構に接続された左右一対の翼片１０を互いに逆方向に回動させて、右翼片１０ａの先端４０の位置と左翼片１０ｂの先端４０の位置との間隔が拡がった状態と狭まった状態の２つの状態を形成するとともに、この２つの状態を適宜切り替えるように入賞装置４ａを構成している。
【００２９】
この入賞装置４ａは、右翼片１０ａが正面右方向に回動し、左翼片１０ｂが正面左方向に回動することで、右翼片１０ａの先端４０位置と左翼片１０ｂの先端４０位置との間隔が拡がった状態を形成する。このとき、入賞装置４ａには、側面部２１によって入賞口４に向かって傾斜する傾斜面が形成される。遊技機は、この傾斜面が遊技球を入賞口４に流下させる遊技球案内面２２をなすように形成されている。これは、たとえば、遊技盤１面を流下する遊技球の流下経路に交差するように側面部２１によって入賞口４へ向かう傾斜面が形成されることで実現される。そうすると、この遊技機では、入賞口４直上より入賞口４に流下する遊技球のみならず、遊技球案内面２２に流下した遊技球も入賞口４へと流下することができる状態が形成されている。この状態は、遊技球の入賞口４への流下経路が開かれている状態（開状態）であり、すなわち開状態は遊技球が入賞口へ導入され易くなっている状態となる。
【００３０】
なお、遊技球案内面２２は、左右一対の翼片１０のいずれにも形成されているが、翼片１０に形成される遊技球案内面２２のうちの少なくとも一方は、遊技球案内面２２の内側位置より入賞口４との境界位置まで没入して形成された没入面を備える凹部２３を形成していてもよい（図４（ｂ））。すなわち、一対の翼片１０は、入賞口４に遊技球が入賞し易い開状態において、遊技球を入賞口４へ導く遊技球案内面２２を備えており、遊技球案内面２２の少なくとも一方には凹部２３が入賞口４との境界位置まで形成されていてもよい。このような翼片１０を備えた遊技機によれば、右翼片１０a、左翼片１０bから左右方向に同時に遊技球が入賞口４に流下してきた場合に、その左右方向から流下した遊技球の衝突位置が互いにずれるため、これらの遊技球が一対の翼片１０より左右方向に略均等な応力を受けて挟み込まれることが抑制され、遊技機に球詰まりを生じる虞が低減される
【００３１】
また、入賞装置４ａは、右翼片１０ａが左方向に回転し、左翼片１０ｂは右方向に回転することで、右翼片１０ａの先端４０位置と左翼片１０ｂの先端４０位置との間隔が狭まった状態を形成する。このとき、左右の翼片１０の先端４０位置は支軸１２に対して略直上を向き、右翼片１０ａと左翼片１０ｂは、遊技球を１個通過させることができる程度の幅をへだてて各々の翼片１０の側面部２１が対向するように配置される。したがって、入賞装置４ａ上方から下方に向かって流下する遊技球は、入賞口４の直上より流下する遊技球以外は入賞口４に流下することが困難である状態が形成されている。この状態は、遊技球の入賞口に対する流下経路が開状態よりも閉鎖された状態（閉状態）であり、すなわち閉状態は遊技球は入賞口へ導入されにくくなっている状態となる。
【００３２】
本発明の遊技機によれば、入賞装置４ａの飾り部材７前面上端縁より後方に向かって下方傾斜する傾斜面１９を形成している。すると、本発明の遊技機によれば、遊技盤１の遊技盤面を流下する遊技球（遊技球A）が入賞口４に流下する場合において、遊技球Aが、その流下時に殻体６上端縁や翼片１０や基台１１などと衝突してガラス板９方向に跳ねあがり、入賞装置４ａの飾り部材７上端部に瞬間的に引っかかる状態が形成されても、遊技球Aが入賞装置４ａの飾り部材７上端縁に引っかかる状態にある時間は、飾り部材７に傾斜面１９を形成しない場合に比べて短くなる。
したがって、この遊技機は、遊技球Aをよりスムーズに入賞口４内へと導入させることができる。
【００３３】
また、本発明の遊技機によれば、入賞装置４ａの飾り部材７前面上端縁より後方に向かって下方傾斜する傾斜面１９を形成している。したがって、図５、６に示すように、遊技盤１の遊技盤面を流下する遊技球（遊技球A、B、C）が開状態の入賞装置4ａの入賞口４に連続的に流下する場合において、入賞口４に向かって先に流下してきた遊技球（遊技球A）が、入賞装置４ａの飾り部材７上端縁に引っかかり（図５（ａ）、図６（ａ））、その後、略同時に左右の翼片１０の遊技球案内面２２から遊技球（遊技球B、C）が入賞口４に向かって流下してきても、左右の翼片１０の遊技球案内面２２から入賞口４に向かって流下してくる遊技球B、Cが入賞口４に到達して、入賞装置４ａが閉状態となる前に、飾り部材７上端縁に引っかかった遊技球Aが入賞口４内へ導入されやすくなる（図５（ｂ）、（ｃ）、図６（ｂ）（ｃ））。したがって、本発明の遊技機によれば、左右一対の翼片１０と遊技盤１とガラス板９との間に遊技球A、B、Cが挟まることにより入賞装置４aに球詰まりを生じる虞を抑制することができる。
【００３４】
上記したような本発明における第１の形態の遊技機は、入賞口４の上方位置に遊技球を導入可能な上方入賞口２５が配設された入賞装置４ａを備えてもよい（図７、図８）（第２の形態の遊技機という）。
この上方入賞口２５は、上方入賞口２５を形成する部材（上方入賞口形成部材２５ａということがある）を基台１１に配設し固定することで形成される。
【００３５】
上方入賞口形成部材２５ａは、板状体２６の板状面を基台１１前方に向けるとともに、上方を没入した形状の壁状体２７を板状体２６の板状面より基台１１の方向に向かって形成してなり、壁状体２７の後方端は基台１１に当接して、基台１１と壁状体２７と板状体２６とで上方入賞口空間部３１を形成しており、また基台１１には、基台１１上端より上方入賞口空間部３１に対応した位置まで、遊技球1個分の大きさよりも大きく切り欠かかれて切り欠き２８が形成されている。
なお、基台１１を取付ける遊技盤１には、切り欠き２８に対応する位置に、上方貫通穴３２が形成されており、上方入賞口２５に向かって流下した遊技球は、上方入賞口空間部３１から切り欠き２８位置を通過し、さらに上方貫通穴３２を通過して遊技盤１裏面に排出される。
【００３６】
この遊技機では、入賞装置４ａは、入賞口４の直上に上方入賞口形成部材２５ａを備える。したがって、この遊技機によれば、入賞口４に流下してきた遊技球が遊技盤面を流下する遊技球（遊技球A）が入賞口４に流下する際に、殻体６上端縁や翼片１０や基台１１などとの衝突によってガラス板方向に向かって斜め上方に跳ねあがったとしても、跳ね上がった遊技球が上方の上方入賞口形成部材２５ａ下方面に衝突して、更にガラス板方向に斜め下方向に跳ね返り、跳ね返った遊技球が飾り部材７に向かうような状態を生じさせることができる。このとき、この遊技機には飾り部材７に傾斜面１９が形成されているので、遊技球が飾り部材７の傾斜面１９に衝突するとともに傾斜面１９を滑るように入賞口４内へ流下するような状態を形成することができる。したがって、この遊技機は、遊技球Aをスムーズに入賞口４内へと導入させることができる。
【００３７】
第２の形態の遊技機では、入賞装置４ａは、上方入賞口形成部材２５ａを、その下端位置と飾り部材７の前面上端縁部位置との上下方向の間隔（図８において間隔Ｐ）が遊技球１個分未満となるように配設して構成されていてもよい。
このように遊技機が構成されると、ガラス板９方向に跳ね返った遊技球をより確実に飾り部材７に衝突させることができるから、より容易に遊技球を飾り部材７の傾斜面１９に衝突させることができ、遊技球が傾斜面１９を滑るように入賞口４内へ流下する状態をより容易に生じさせることができる。したがって、このような遊技機は、遊技球をよりスムーズに入賞口４内へと導入させることができる。
【００３８】
第２の形態の遊技機では、上方入賞口形成部材２５ａは、上方入賞口２５の下部を形成する部材を、ガラス板９から遊技盤１方向に下方傾斜させた外形を呈するように形成されていてもよい（図９）。
ここで、上方入賞口形成部材２５ａは、壁状体２７と板状体２６とからなり、壁状体２７は、上方入賞口空間部３１の下端を形成するとともに上方入賞口形成部材２５ａ下方面を形成している下方面形成部材２９を備え、下方面形成部材２９の左右側縁に沿うように側壁３０を形成している。
【００３９】
この遊技機では、下方面形成部材２９は、上方入賞口２５の下部を形成する部材として、その下側面をガラス板９から遊技盤１方向に下方傾斜させた形状を呈している。
【００４０】
この遊技機によれば、遊技球が入賞口４に流下する際に、殻体６上端縁や翼片１０や基台１１などとの衝突によってガラス板６方向に向かって斜め上方に跳ねあがり、跳ね上がった遊技球が入賞口４上方に位置する上方入賞口形成部材２５ａ下方面に衝突する場合に、上方入賞口形成部材２５ａ下方面を形成している下方面形成部材２９の下側面がガラス板９から遊技盤１方向に向かって下方傾斜しているため、遊技球を効率よくガラス板９方向に跳ね返らせるとともに遊技球の進行方向を飾り部材７の傾斜面１９方向に仕向けることができる。すると、この遊技機によれば、飾り部材７の上端縁に引っかかる遊技球を弾きとばしやすくなるのみならず、効率よく遊技球が飾り部材７の傾斜面１９に衝突して傾斜面１９を滑るように入賞口４内へ流下するような状態を形成させることができる。したがって、このような遊技機は、遊技球を一層スムーズに入賞口４内へと導入させることができる。
【００４１】
なお、上記第１の形態や第２の形態における入賞装置は、始動入賞装置である場合を例としたが、これに限られず普通入賞装置であってもよい。
【図面の簡単な説明】
【００４２】
【図１】遊技機における遊技盤面の実施例の１つを示す正面概略図である
【図２】本発明の遊技機に組み付ける始動入賞装置と大入賞装置の実施例の１つを示す正面図である。
【図３】（ａ）図２におけるＡ−Ａ線断面図である、（ｂ）図３（ａ）におけるＣ−Ｄ部分拡大図である。
【図４】（ａ）本発明の遊技機に組み付ける入賞装置に用いる翼片の実施例の１つを示す斜視図である。（ｂ）本発明の遊技機に組み付ける入賞装置に用いる翼片の他の実施例を示す斜視図である。
【図５】（ａ）本発明の遊技機に組み付ける入賞装置に遊技球が流下する状態を示す説明図である、（ｂ）本発明の遊技機に組み付ける入賞装置に遊技球が流下する状態を示す説明図である、（ｃ）本発明の遊技機に組み付ける入賞装置に遊技球が流下する状態を示す説明図である。
【図６】（ａ）図５（ａ）におけるＥ−Ｅ線断面図である、（ｂ）図５（ｂ）におけるＦ−Ｆ線断面図である、（ｃ）図５（ｃ）におけるＧ−Ｇ線断面図である。
【図７】本発明の遊技機に組み付ける第２の形態の入賞装置を説明するための正面図である。
【図８】本発明の遊技機に組み付ける第２の形態の入賞装置を説明するための縦断面図である。
【図９】本発明の遊技機に組み付ける第２の形態の入賞装置における他の実施例を説明するための縦断面図である。
【図１０】（ａ）従来の遊技機に組み付ける入賞装置に遊技球が流下する状態を示す説明図である、（ｂ）従来の遊技機に組み付ける入賞装置に遊技球が流下する状態を示す説明図である、（ｃ）従来の遊技機に組み付ける入賞装置に遊技球が流下する状態を示す説明図である。
【符号の説明】
【００４３】
１  遊技盤
２  案内レール
３  図柄表示部
３a  図柄表示装置
４  始動入賞口
４a  始動入賞装置
５  大入賞口
５a大入賞装置
６  殻体
７  飾り部材
８  周壁
９  ガラス板
１０  翼片
１０a  右翼片
１０b  左翼片
１１  基台
１２  支軸
１３  貫通孔
１４  支軸受穴
１５  障害釘
１６  回動片
１７  突出部
１８  基台貫通穴
１９  傾斜面
２０  空間部
２１  側面部
２２  遊技球案内面
２３  凹部
２５  上方入賞口
２５a  上方入賞口形成部材
２６  板状体
２７  壁状体
２８  切り欠き
２９  下方面形成部材
３０  側壁
３１  上方入賞口空間部
３２  上方貫通穴
【図１】
2006296777.tif 000003
【図２】
2006296777.tif 000004
【図３】
2006296777.tif 000005
【図４】
2006296777.tif 000006
【図５】
2006296777.tif 000007
【図６】
2006296777.tif 000008
【図７】
2006296777.tif 000009
【図８】
2006296777.tif 000010
【図９】
2006296777.tif 000011
【図１０】
2006296777.tif 000012